(57)【要約】【課題】特定の形状の天板を有する２種類のＡ、Ｂテーブルだけを用いて、各種形態の組合わせテーブルを得る。【解決手段】内角を９０度とする第１の２等辺（ａ辺）と、その各２辺との内角を１０５度とする第２の２等辺（ｂ辺）とを有する平面視多角形状の天板６を備える単数または複数のＡテーブル５と、底辺（ｄ辺）との内角が７５度で、Ａテーブルの第２の等辺（ｂ辺）と同長の２辺（ｅ辺）を有する平面視台形状の天板４を備える単数または複数のＢテーブル３とを、天板４，６の辺端面同士を突き合わせて左右対称または非対称に組合わせることによって形成した組合わせテーブル１とする。【選択図】　　　　図４
2004089451.tif 000002
【特許請求の範囲】
【請求項１】
内角を９０度とする第１の２等辺（ａ辺）と、その各２辺との内角を１０５度とする第２の２等辺（ｂ辺）とを有する平面視多角形状の天板を備える単数または複数のＡテーブルと、底辺（ｄ辺）との内角が７５度で、Ａテーブルの第２の等辺（ｂ辺）と同長の２辺（ｅ辺）を有する平面視台形状の天板を備える単数または複数のＢテーブルとを、天板の辺端面同士を突き合わせて左右対称または非対称に組合わせることによって形成したことを特徴とする組合わせテーブル。
【請求項２】
前記Ａテーブルにおける天板を、２つのａ辺と２つのｂ辺とからなる平面視四角形状のものとしたことを特徴とする請求項１記載の組合わせテーブル。
【請求項３】
前記Ａテーブルにおける天板を、２つのｂ辺の一端同士を直線またはゆるやかな曲線で連結した平面視五角形状のものとしたことを特徴とする請求項１記載の組合わせテーブル。
【請求項４】
天板のｄ辺を外側に位置させて配置した１個のＢテーブルの左右両側に、Ａテーブルを各１個ずつ、Ａテーブルにおける天板のｂ辺と、Ｂテーブルにおける天板のｅ辺の端面同士を突き合わせて組合わせることによって形成したことを特徴とする請求項１〜３のいずれかに記載の組合わせテーブル。
【請求項５】
天板の２つのａ辺を外側に位置させて配置した１個のＡテーブルの左右両側に、Ｂテーブルを各１個ずつ、Ａテーブルにおける天板のｂ辺と、Ｂテーブルにおける天板のｅ辺の端面同士を突き合わせて組合わせることによって形成したことを特徴とする請求項１〜３のいずれかに記載の組合わせテーブル。
【請求項６】
前記２個のＡテーブルにおける天板の各１つのｂ辺の端面同士を突き合わせるとともに、他の各１つのｂ辺を外側に位置させて配置した２個のＡテーブルの左右両側に、Ｂテーブルを各１個ずつ、Ｂテーブルにおける天板のｄ辺を外側に位置させて、Ａテーブルにおける天板のａ辺とＢテーブルにおける天板のｅ辺の端面同士を突き合わせて組合わせることによって形成したことを特徴とする請求項１〜３のいずれかに記載の組合わせテーブル。
【請求項７】
請求項４〜６のいずれかに記載の組合わせテーブルを１ユニットとし、１ユニットの組合わせテーブルの左右両側またはその一方に、前記ＡまたはＢテーブルを、天板の端面同士を突き合わせて組合わせることによって形成したことを特徴とする請求項１〜３のいずれかに記載の組合わせテーブル。
【請求項８】
請求項４〜６のいずれかに記載の組合わせテーブルを１ユニットとし、複数ユニットを、隣接するユニットにおける天板の前辺または側辺である外側辺の端面同士を突き合わせて配置することによって形成したことを特徴とする複数ユニットからなる請求項１〜３のいずれかに記載の組合わせテーブル。
【請求項９】
前記ＡまたはＢテーブルの同一種類のテーブルの複数個を、これらのテーブルにおける天板のａ、ｂまたはｃ辺の端面同士を突き合わせて組合わせることによって形成したことを特徴とする組合わせテーブル。
【請求項１０】
前記Ａテーブルの４個を、隣接するＡテーブルにおける天板のａ辺の端面同士を突き合わせて、平面視において、ほぼ八辺形状に組合わせることによって形成したことを特徴とする請求項９記載の組合わせテーブル。
【請求項１１】
前記Ａテーブルの６個を、隣接するＡテーブルにおける天板のｂ辺の端面同士を突き合わせて、平面視においてほぼ十二辺形状に組合わせることによって形成したことを特徴とする請求項９記載の組合わせテーブル。
【請求項１２】
前記Ｂテーブルの複数個を、隣接するＢテーブルにおける天板のｅ辺の端面同士を突き合わせるとともに、各天板のｄ辺を外側に位置させて、平面視において輪状または弧状に組合わせることによって形成したことを特徴とする請求項９記載の組合わせテーブル。
【請求項１３】
前記Ｂテーブルの複数個を、隣接するＢテーブルにおける天板のｅ辺の端面同士を突き合わせるとともに、各天板のｄ辺を交互に内側または外側に位置させて、平面視において直線状に組合わせることによって形成したことを特徴とする請求項９記載の組合わせテーブル。
【発明の詳細な説明】
【０００１】
【発明の属する技術分野】
本発明は、組合わせテーブルに関し、特に変化に富んだ各種の組合わせが可能な組合わせテーブルに関する。
【０００２】
【従来の技術】
組合わせテーブルは公知であるが、従来の組合わせテーブルは、単に１種類または極めて少ない種類の組合わせができるに過ぎなかった。
そのため、デザイン上において、変化に富んだ組合わせテーブルを形成することができないばかりでなく、たとえば、会議の出席人数の変化に応じて、的確な大きさや形態の組合わせテーブルに変更することができず、実用上の使用のうえで制限されていた。また、デザインを各種変更できる組合わせテーブルを得ようとすれば種々の形状を有する天板を備えるテーブルを多種類、組合わせなければならなかった。
【０００３】
【発明が解決しようとする課題】
本発明は、特定の形状の天板を有する実質的に２種類のＡ、Ｂテーブルだけを用いて、これらを組合わせることにより、デザイン上において極めて変化に富んだ各種の組合わせテーブルを得ることができるばかりでなく、その組合わせテーブルを使用する人数の変化に対しても幅広く対応できるとともに、さらに使用する目的に応じて、たとえば、左右方向に広がるテーブルやＬ字状のテーブル、あるいはその中間のＶ字状のテーブル、さらには会議用のテーブルなど組合わせ形態の自由度が大きく、近年のＯＡ機器の各種利用形態や通常の事務用あるいは各種の会議用に好適に対応することができる組合わせテーブルを提供することを目的とする。
【０００４】
【課題を解決するための手段】
本発明によると、上記課題は、次のようにして解決される。
（１）　内角を９０度とする第１の２等辺（ａ辺）と、その各２辺との内角を１０５度とする第２の２等辺（ｂ辺）とを有する平面視多角形状の天板を備える単数または複数のＡテーブルと、底辺（ｄ辺）との内角が７５度で、Ａテーブルの第２の等辺（ｂ辺）と同長の２辺（ｅ辺）を有する平面視台形状の天板を備える単数または複数のＢテーブルとを、天板の辺端面同士を突き合わせて左右対称または非対称に組合わせることによって形成したことを特徴とする組合わせテーブルとする。
【０００５】
（２）　上記（１）項において、前記Ａテーブルにおける天板を、２つのａ辺と２つのｂ辺とからなる平面視四角形状のものとする。
【０００６】
（３）　上記（１）項において、前記Ａテーブルにおける天板を、２つのｂ辺の一端同士を直線またはゆるやかな曲線で連結した平面視五角形状のものとする。
【０００７】
（４）　上記（１）項〜（３）項のいずれかにおいて、天板のｄ辺を外側に位置させて配置した１個のＢテーブルの左右両側に、Ａテーブルを各１個ずつ、Ａテーブルにおける天板のｂ辺と、Ｂテーブルにおける天板のｅ辺の端面同士を突き合わせて組合わせることによって形成する。
【０００８】
（５）　上記（１）項〜（３）項のいずれかにおいて、天板の２つのａ辺を外側に位置させて配置した１個のＡテーブルの左右両側に、Ｂテーブルを各１個ずつ、Ａテーブルにおける天板のｂ辺と、Ｂテーブルにおける天板のｅ辺の端面同士を突き合わせて組合わせることによって形成する。
【０００９】
（６）　上記（１）項〜（３）項のいずれかにおいて、前記２個のＡテーブルにおける天板の各１つのｂ辺の端面同士を突き合わせるとともに、他の各１つのｂ辺を外側に位置させて配置した２個のＡテーブルの左右両側に、Ｂテーブルを各１個ずつ、Ｂテーブルにおける天板のｄ辺を外側に位置させて、Ａテーブルにおける天板のａ辺とＢテーブルにおける天板のｅ辺の端面同士を突き合わせて組合わせることによって形成する。
【００１０】
（７）　上記（１）項〜（３）項のいずれかにおいて、上記（４）項〜（６）項のいずれかに記載の組合わせテーブルを１ユニットとし、１ユニットの組合わせテーブルの左右両側またはその一方に、前記ＡまたはＢテーブルを、天板の端面同士を突き合わせて組合わせることによって形成する。
【００１１】
（８）　上記（１）項〜（３）項のいずれかにおいて、上記（４）項〜（６）項のいずれかに記載の組合わせテーブルを１ユニットとし、複数ユニットを、隣接するユニットにおける天板の前辺または側辺である外側辺の端面同士を突き合わせて配置することによって形成する。
【００１２】
（９）　前記ＡまたはＢテーブルの同一種類のテーブルの複数個を、これらのテーブルにおける天板のａ、ｂまたはｃ辺の端面同士を突き合わせて組合わせることによって形成する。
【００１３】
（１０）　上記（９）項において、前記Ａテーブルの４個を、隣接するＡテーブルにおける天板のａ辺の端面同士を突き合わせて、平面視において、ほぼ八辺形状に組合わせることによって形成する。
【００１４】
（１１）　上記（９）項において、前記Ａテーブルの６個を、隣接するＡテーブルにおける天板のｂ辺の端面同士を突き合わせて、平面視においてほぼ十二辺形状に組合わせることによって形成する。
【００１５】
（１２）　上記（９）項において、前記Ｂテーブルの複数個を、隣接するＢテーブルにおける天板のｅ辺の端面同士を突き合わせるとともに、各天板のｄ辺を外側に位置させて、平面視において輪状または弧状に組合わせることによって形成する。
【００１６】
（１３）　上記（９）項において、前記Ｂテーブルの複数個を、隣接するＢテーブルにおける天板のｅ辺の端面同士を突き合わせるとともに、各天板のｄ辺を交互に内側または外側に位置させて、平面視において直線状に組合わせることによって形成する。
【００１７】
【発明の実施の形態】
本発明の組合わせテーブルは、２種類の特定形状の天板を、それぞれ備えるテーブルを組合わせることによって形成される。
【００１８】
図１は、前記２種類のうちの１種類の天板（１００）の平面図である。
図示するように、１種類の天板（１００）は、内角を９０度とする第１の２等辺（以下、「ａ辺」という）と、その各２辺との内角を１０５度とする第２の２等辺（以下、「ｂ辺」という）とを有する平面視がほぼ四角形状のものである。
【００１９】
図２は、図１に示す天板の一部変形例である天板（２００）の平面図であり、前記２つのｂ辺の一端同士を直線ｃ辺で連結した平面視が五角形状のものである。
なお、２つのｂ辺の一端同士をゆるやかな曲線で連結した平面視がほぼ五角形状のものであってもよい。
【００２０】
これら図１、図２に示すような天板に適当な脚部を取り付けたテーブルを、以下、「Ａテーブル」と称する。
【００２１】
図３は、前記特定形状の天板のうちの他の１種類の天板（３００）の平面図である。
図示するように、他の１種類の天板（３００）は、底辺（以下、「ｄ辺」という）との内角が７５度で、Ａテーブルにおける天板（１００）（２００）の第２の等辺（ｂ辺）と同長の２辺（以下、「ｅ辺」という）を有する平面視が台形状のものである。
なお、前記台形の上辺を以下「ｆ辺」という。
【００２２】
図３に示すような天板に適当な脚部を取り付けたテーブルを、以下、「Ｂテーブル」と称する。
【００２３】
本発明の組合わせテーブルは、単数または複数の各Ａ、Ｂテーブルを、天板の辺端面同士を突き合わせて左右対称または非対称に組合わせることによって形成することを特徴とするものである。
【００２４】
図４は、本発明の代表的実施形態の組合わせテーブル（１）と、その組合わせテーブル用の椅子（２）を示す平面図である。
【００２５】
本実施形態の組合わせテーブル（１）は、天板（４）のｄ辺を外側に位置させて配置した１個のＢテーブル（３）の左右両側に、Ａテーブル（５）（５）を各１個ずつ、Ａテーブル（５）における天板（６）のｂ辺と、Ｂテーブル（３）における天板（４）のｅ辺の端面同士を突き合わせ、かつＡテーブル（５）における天板（６）の一方のａ辺と、Ｂテーブル（３）における天板（４）のｄ辺とが直線上に並ぶように組合わせることによって形成してある。
なお、符号（５８）は、パソコンである。以下の図面においても同様である。
【００２６】
この実施形態の組合わせテーブル（１）は、左右方向に広がりを有するため、いわゆる役職者ワークステーションを形成するのに好適である。
【００２７】
図５〜図２０は、本発明の他の実施形態の組合わせテーブルと、その組合わせテーブル用の椅子を示す平面図である。
【００２８】
図５に示す実施形態の組合わせテーブル（７）は、図４に示した実施形態と同様に、Ｂテーブル（８）における天板（９）のｄ辺を外側に位置させて配置した１個のＢテーブル（８）の左右両側に、Ａテーブル（１０）（１０）を各１個ずつ、Ａテーブル（１０）における天板（１１）のｂ辺と、Ｂテーブル（８）における天板（９）のｅ辺の端面同士を突き合わせて組合わされている。
【００２９】
図４に示した実施形態と異なる点は、Ａテーブル（１０）における天板（１１）のａ辺を着座者空間（１２）側に位置させたことである。
【００３０】
この実施形態の組合わせテーブル（７）は、いわゆるＶ字型ワークステーションを形成している。
なお、符号（１３）は椅子を示す。
【００３１】
図６に示す実施形態の組合わせテーブル（１４）は、Ａテーブル（１５）における天板（１６）の２つのａ辺を外側に位置させて配置した１個のＡテーブル（１５）の左右両側に、Ｂテーブル（１７）を各１個ずつ、Ａテーブル（１５）における天板（１６）のｂ辺と、Ｂテーブル（１７）における天板（１８）のｅ辺の端面同士を突き合わせて組合わせることによって形成してある。
【００３２】
この実施形態の組合わせテーブル（１４）は、いわゆるＬ字型のワークステーションを形成している。
なお、符号（１９）は椅子を示す。
【００３３】
図７に示す実施形態の組合わせテーブル（２０）は、２個のＡテーブル（２１）（２１）における天板（２２）の各１つのｂ辺の端面同士を突き合わせるとともに、他の各１つのｂ辺を外側に位置させて配置した２個のＡテーブル（２１）（２１）の左右両側に、Ｂテーブル（２３）を各１個ずつ、Ｂテーブル（２３）における天板（２４）のｄ辺を外側に位置させて、Ａテーブル（２１）における天板（２２）のａ辺とＢテーブル（２３）における天板（２４）のｅ辺の端面同士を突き合わせて組合わせることによって形成してある。
【００３４】
この実施形態の組合わせテーブル（２０）は、図５に示した実施形態の組合わせテーブル（７）よりも、広がりの大きいＶ字型のワークステーションを形成している。
符号（２５）は椅子を示す。なお、以下の図面においても、符号（２５）をもって椅子を示す。
【００３５】
図８に示す実施形態の組合わせテーブル（２６）は、図６に示した実施形態の組合わせテーブル（１４）の左右両側にＡテーブル（２７）を各１個ずつ、Ａテーブル（２７）における天板（２８）のａ辺を外側に位置させるとともに、ｂ辺をＢテーブル（２９）における天板（３０）のｅ辺と突き合わせて組合わせることによって形成してある。
【００３６】
この実施形態の組合わせテーブル（２６）は、図６に示した実施形態の組合わせテーブル（１４）よりも、広がりの大きいＬ字型のワークステーションを形成している。
【００３７】
一般に、図４〜図７に示した各組合わせテーブル（７）（１４）（２０）（２６）を１ユニットとし、各ユニットの左右両側またはその一方に、ＡまたはＢテーブルを、天板の端面同士を突き合わせて組合わせることにより、１ユニットよりも広がりの大きい組合わせテーブルを形成することができる。
【００３８】
また、図９に示す実施形態の組合わせテーブル（３１）は、図６に示した実施形態の組合わせテーブル（１４）の４ユニットを組合わせて形成してある。
【００３９】
各ユニット間に、適当な仕切り（３２）を設けてもよいが、この仕切り（３２）を設けない場合は、そのまま会議用テーブルとしても使用することができる。
【００４０】
図１０に示す実施形態の組合わせテーブル（３３）は、図３に示した実施形態の組合わせテーブル（２０）の３ユニットを組合わせて形成してある。
【００４１】
図９の場合と同様に、仕切り（３４）を設けてもよいが、この仕切り（３４）を設けない場合は、そのまま会議用テーブルとしても使用することができる。
【００４２】
図１１に示す実施形態の組合わせテーブル（３５）は、図５に示した実施形態の組合わせテーブル（７）の４ユニットを組合わせて形成してある。
【００４３】
中央に空間部（３６）があるため、広々とし、かつデザインに富んだ円卓風の組合わせテーブル（３５）が形成されている。
【００４４】
図１２および図１３に示す実施形態の組合わせテーブル（３７）（３８）は、いずれも、図５に示した実施形態の組合わせテーブル（７）の多数ユニットを組合わせて形成したものである。
【００４５】
また、図１４に示す実施形態の組合わせテーブル（３９）は、図８に示した実施形態の組合わせテーブル（２６）の多数ユニットを組合わせて形成したものである。
なお、同図において、併せて示す組合わせテーブル（４０）は、図１５において説明するものであり、図１４は、両組合わせテーブル（３９）（４０）の配置例をも示す。
なお、符号（５９）は、部屋の壁を示す。
【００４６】
一般に、図４〜図７に示した各組合わせテーブル（７）（１４）（２０）（２６）を１ユニットとし、複数ユニットを、隣接するユニットにおける天板の前辺または側辺である外側辺の端面同士を突き合わせて配置することによって各種の組合わせテーブルを形成することができる。
【００４７】
図１５に示す実施形態の組合わせテーブル（４０）は、Ａテーブル（４１）の４個を、隣接するＡテーブル（４１）（４１）における天板（４２）（４２）のａ辺の端面同士を突き合わせて、平面視において、ほぼ八辺形状に組合わせることによって形成してある。
【００４８】
図１６に示す実施形態の組合わせテーブル（４３）は、Ａテーブル（４４）の６個を、隣接するＡテーブル（４４）（４４）における天板（４５）（４５）のｂ辺の端面同士を突き合わせて、平面視において十二辺形状に組合わせることによって形成してある。
【００４９】
図１７に示す実施形態の組合わせテーブル（４６）は、Ｂテーブル（４７）の複数個を、隣接するＢテーブル（４７）（４７）における天板（４８）（４８）のｅ辺の端面同士を突き合わせるとともに、各天板（４８）のａ辺を外側に位置させて、平面視において輪状に組合わせることによって形成してある。
【００５０】
図１８に示す実施形態の組合わせテーブル（４９）は、図１７に示す実施形態の組合わせテーブル（４６）の一部分をとり、弧状に形成したものである。
【００５１】
図１９に示す実施形態の組合わせテーブル（５０）は、Ｂテーブル（５１）の複数個を、隣接するＢテーブル（５１）（５１）における天板（５２）（５２）のｅ辺の端面同士を突き合わせるとともに、各天板（５２）のｄ辺を交互に内側または外側に位置させて、平面視において、直線状に組合わせることによって形成してある。
なお、符号（５９）は、部屋の壁を示す。
【００５２】
図２０に示す実施形態の組合わせテーブル（５３）は、図１９に示した実施形態の組合わせテーブル（５０）と同様に、複数個の隣接するＢテーブル（５４）における天板（５５）のｄ辺を交互に内側または外側に位置させて、直線状に組合わせてなる２個のユニットの組合わせテーブル（５６）（５６）の前辺（５７）の端面同士を突き合わせることによって形成してある。
【００５３】
一般に、ＡまたはＢテーブルの同一種類のテーブルの複数個を、これらのテーブルにおける天板のａ、ｂまたはｃ辺の端面同士を突き合わせて配置することによって、各種の組合わせテーブルを形成することができる。
【００５４】
【発明の効果】
本発明によれば、次の効果が奏せられる。
（１）　請求項１記載の発明によれば、特定の形状の天板を有する実質的に２種類のＡ、Ｂテーブルだけを用いて、これらを組合わせることにより、デザイン上において極めて変化に富んだ各種の組合わせテーブルを得ることができるばかりでなく、その組合わせテーブルを使用する人数の変化に対しても幅広く対応できるとともに、さらに使用する目的に応じて、たとえば、左右方向に広がるテーブルやＬ字状のテーブル、あるいはその中間のＶ字状のテーブル、さらには会議用のテーブルなど組合わせ形態の自由度が大きく、近年のＯＡ機器の各種利用形態や通常の事務用あるいは各種の会議用に好適に対応することができる組合わせテーブルを得ることができる。
【００５５】
（２）　請求項２記載の発明によれば、上記（１）項に記載した効果を、良好に得ることができる。
【００５６】
（３）　請求項３記載の発明によれば、デザインおよび機能上、一層変化に富んだ組合わせテーブルを得ることができる。
【００５７】
（４）　請求項４記載の発明によれば、役職者ワークステーションやＶ字型ワークステーションを形成する組合わせテーブルを容易に得ることができる。
【００５８】
（５）　請求項５記載の発明によれば、Ｌ字型ワークステーションを形成する組合わせテーブルを容易に得ることができる。
【００５９】
（６）　請求項６記載の発明によれば、広がりのあるＶ字型のワークステーションを形成する組合わせテーブルを容易に得ることができる。
【００６０】
（７）　請求項７記載の発明によれば、広がりのある各種形態のワークステーションを形成する組合わせテーブルを容易に得ることができる。
【００６１】
（８）　請求項８記載の発明によれば、多人数を対象に変化に富んだ各種デザインの組合わせテーブルを容易に形成することができる。
【００６２】
（９）　請求項９記載の発明によれば、ＡまたはＢテーブルの同一種類のテーブルだけを用いて、利用形態に応じて各種の組合わせテーブルを得ることができる。
【００６３】
（１０）　請求項１０記載の発明によれば、４人用に好適な優れたデザインの会議用の組合わせテーブルを得ることができる。
【００６４】
（１１）　請求項１１記載の発明によれば、６人用に好適な優れたデザインの会議用の組合わせテーブルを得ることができる。
【００６５】
（１２）　請求項１２記載の発明によれば、多人数向きの会議用に好適な輪状の組合わせテーブル、または受付用などに好適な弧状の組合わせテーブルを得ることができる。
【００６６】
（１３）　請求項１３記載の発明によれば、人数に応じて左右方向に直列に連続する事務用の組合わせテーブル、または人数に応じて適当な大きさをもつ会議用の組合わせテーブルを容易に得ることができる。
【図面の簡単な説明】
【図１】本発明の組合わせテーブルを形成するためのＡテーブルにおける天板の平面図である。
【図２】Ａテーブルにおける天板の変形例の平面図である。
【図３】同じくＢテーブルにおける天板の平面図である。
【図４】本発明の代表的実施形態の組合わせテーブルと、その組合わせテーブル用の椅子の平面図である。
【図５】本発明の他の実施形態の組合わせテーブルと、その組合わせテーブル用の椅子の平面図である。
【図６】同じく、本発明の他の実施形態の組合わせテーブルと、その組合わせテーブル用の椅子の平面図である。
【図７】同じく、本発明の他の実施形態の組合わせテーブルと、その組合わせテーブル用の椅子の平面図である。
【図８】同じく、本発明の他の実施形態の組合わせテーブルと、その組合わせテーブル用の椅子の平面図である。
【図９】同じく、本発明の他の実施形態の組合わせテーブルと、その組合わせテーブル用の椅子の平面図である。
【図１０】同じく、本発明の他の実施形態の組合わせテーブルと、その組合わせテーブル用の椅子の平面図である。
【図１１】同じく、本発明の他の実施形態の組合わせテーブルと、その組合わせテーブル用の椅子の平面図である。
【図１２】同じく、本発明の他の実施形態の組合わせテーブルと、その組合わせテーブル用の椅子の平面図である。
【図１３】同じく、本発明の他の実施形態の組合わせテーブルと、その組合わせテーブル用の椅子の平面図である。
【図１４】同じく、本発明の他の実施形態の組合わせテーブルと、その組合わせテーブル用の椅子の平面図である。
【図１５】同じく、本発明の他の実施形態の組合わせテーブルと、その組合わせテーブル用の椅子の平面図である。
【図１６】同じく、本発明の他の実施形態の組合わせテーブルと、その組合わせテーブル用の椅子の平面図である。
【図１７】同じく、本発明の他の実施形態の組合わせテーブルと、その組合わせテーブル用の椅子の平面図である。
【図１８】同じく、本発明の他の実施形態の組合わせテーブルと、その組合わせテーブル用の椅子の平面図である。
【図１９】同じく、本発明の他の実施形態の組合わせテーブルと、その組合わせテーブル用の椅子の平面図である。
【図２０】同じく、本発明の他の実施形態の組合わせテーブルと、その組合わせテーブル用の椅子の平面図である。
【符号の説明】
（１００）Ａテーブルにおける天板
（２００）Ａテーブルにおける天板の変形例としての天板
（３００）Ｂテーブルにおける天板
（１）組合わせテーブル
（２）椅子
（３）Ｂテーブル
（４）天板
（５）Ａテーブル
（６）天板
（７）組合わせテーブル
（８）Ｂテーブル
（９）天板
（１０）Ａテーブル
（１１）天板
（１２）着座者空間
（１３）椅子
（１４）組合わせテーブル
（１５）Ａテーブル
（１６）天板
（１７）Ｂテーブル
（１８）天板
（１９）椅子
（２０）組合わせテーブル
（２１）Ａテーブル
（２２）天板
（２３）Ｂテーブル
（２４）天板
（２５）椅子
（２６）組合わせテーブル
（２７）Ａテーブル
（２８）天板
（２９）Ｂテーブル
（３０）天板
（３１）組合わせテーブル
（３２）仕切り
（３３）組合わせテーブル
（３４）仕切り
（３５）組合わせテーブル
（３６）空間部
（３７）〜（４０）組合わせテーブル
（４１）Ａテーブル
（４２）天板
（４３）組合わせテーブル
（４４）Ａテーブル
（４５）天板
（４６）組合わせテーブル
（４７）Ｂテーブル
（４８）天板
（４９）組合わせテーブル
（５０）組合わせテーブル
（５１）Ｂテーブル
（５２）天板
（５３）組合わせテーブル
（５４）Ｂテーブル
（５５）天板
（５６）組合わせテーブル
（５７）前辺
（５８）パソコン
（５９）壁
【図１】
2004089451.tif 000003
【図２】
2004089451.tif 000004
【図３】
2004089451.tif 000005
【図４】
2004089451.tif 000006
【図５】
2004089451.tif 000007
【図６】
2004089451.tif 000008
【図７】
2004089451.tif 000009
【図８】
2004089451.tif 000010
【図９】
2004089451.tif 000011
【図１０】
2004089451.tif 000012
【図１１】
2004089451.tif 000013
【図１２】
2004089451.tif 000014
【図１３】
2004089451.tif 000015
【図１４】
2004089451.tif 000016
【図１５】
2004089451.tif 000017
【図１６】
2004089451.tif 000018
【図１７】
2004089451.tif 000019
【図１８】
2004089451.tif 000020
【図１９】
2004089451.tif 000021
【図２０】
2004089451.tif 000022